(57)【要約】【課題】農産物を冷蔵する農産物保冷庫の天井面に設置される農産物保冷庫用冷蔵ユニットにおいて、外郭部分に結露が発生しにくく、冷却性能を向上させる。【解決手段】農産物保冷庫用冷蔵ユニット２０１は、冷却器５を断熱し上下に分離する上側断熱部２と、下側断熱部４と、外郭となる外装パネル１と、樹脂製ベース３と、を備えたものである。下側断熱部４は、断熱部保持部７の上側になるように、露受皿８と断熱部保持部７の間に挿入されたものである。これにより、外郭部分に結露が発生しにくく、冷却性能を向上させる。【選択図】図２
2014095493.tif 000002
【特許請求の範囲】
【請求項１】
前面に扉を有した断熱性の高い保冷庫本体と前記保冷庫本体の天井面に設置した農産物保冷庫用冷蔵ユニットとを備えた農産物保冷庫にあって、
前記農産物保冷庫用冷蔵ユニットは、冷却器を断熱し上下に分離する上側断熱部と、下側断熱部と、外郭となる外装パネルと、樹脂製ベースと、を備えたものであって、
前記樹脂製ベースは、結露水を溜めて蒸発させることのできる蒸発皿部と、前記冷却器の下側で前記結露水を受ける露受皿と、前記蒸発皿部と前記露受皿とを一体化する水路と、前記下側断熱部の周囲を保持し外郭の一部となる断熱部保持部と、を備え、
前記下側断熱部は、下部に前記天井面と密着する面と、前記保冷庫本体に冷気を吸排気する吸排気口と、前記吸排気口の間に前記露受皿と前記水路とを前記下側断熱部の上側に前記水路が密着するように形成された水路保持部と、前記吸排気口と前記水路保持部を除いた上面に前記上側断熱部と密着する勘合部と、を備え、
前記下側断熱部は、前記断熱部保持部の上側になるように、前記露受皿と前記断熱部保持部の間に挿入された農産物保冷庫用冷蔵ユニット。
【発明の詳細な説明】
【技術分野】
【０００１】
本発明は、農産物を冷蔵する農産物保冷庫の天井面に設置される農産物保冷庫用冷蔵ユニットに関するものである。
【背景技術】
【０００２】
従来、この種の農産物保冷庫用冷蔵ユニットは、外郭構造の部分は板金で構成しているが、軽量化や部品点数の削減による合理化を目的として、特に外郭下部のベース部分に樹脂を用いて形成したものがある（例えば、特許文献１参照）。
【０００３】
以下、図面を参照しながら特許文献１に記載された従来の農産物保冷庫用冷蔵ユニットを説明する。
【０００４】
図４は、特許文献１に記載された従来の農産物保冷庫用冷蔵ユニットを示すものである。
【０００５】
図４に示すように、従来の冷蔵ユニットは、外郭下部となる樹脂製ベース２５と、冷却器２２と、冷却器２２を上方から囲う上側断熱箱（図示せず）と、外郭上部となるパネル３７と、から構成されている。
【０００６】
農作物保冷庫は、図５に示すように、前面に扉を有した断熱性の高い保冷庫本体４１の上部に冷蔵ユニット４２を備え、冷却風を図６に示す保冷庫本体４１の天面３８の開口４３から庫内に流し込むよう構成している。
【０００７】
冷蔵ユニットの内部構造は、図４に示すように、底面は樹脂で整形された樹脂製ベース２５で、冷却側には保冷庫内の空気を吸い込み、冷却後、吐き出すため、箱状に形成される断熱部２１の内側に孔が図６の天面３８の開口４３に相対して設けられている。
【０００８】
また、冷却側の冷却風は、図４のＢ−Ｂ断面図で示す図７の矢印のように流れ、冷却器２２の周囲を発泡材などで形成した下側断熱部４６と上側断熱箱４７とで囲っている。
【０００９】
下側断熱部４６は、図４のＣ−Ｃ断面図で示す図８のように、連続した樹脂製ベース２５の樹脂で囲うよう形成され、保冷庫内の冷気洩れを防止している。
【００１０】
また、下側断熱部４６の中央部は冷却器２２を設置し、冷却器２２から発生する結露水を受ける露受皿２３が樹脂製ベース２５と一体化されている。
【００１１】
結露水は露受皿２３から自然に排熱側へ流す構造となっている。排熱側には露受皿２３から流れてきた結露水を受けためておくための蒸発部２４が設けられており、コンプレッサー２８や凝縮器（図示せず）の熱と排熱循環風とで蒸発させて外部に放出する。
【００１２】
このように冷蔵ユニットの構成部品は一体化された樹脂製ベース２５上に設置されている。
【先行技術文献】
【特許文献】
【００１３】
【特許文献１】特開２００４−２５１６０８号公報
【発明の概要】
【発明が解決しようとする課題】
【００１４】
しかしながら、前記従来の構成では、冷却部分の内部まで樹脂製ベース２５の樹脂が回りこむため、発泡材等の下側断熱部４６に対して熱伝導度が高い樹脂を使用するため、冷却器２２で冷却された部分から下側断熱部４６の外部まで冷却され、庫外空気を冷やし樹脂表面から結露水が発生してしまうという課題を有していた。
【００１５】
また、製品の内側は樹脂製ベース２５が連続して一体化されているため、結露水を受けるように皿上に形成することで結露水を内側にためることができるが、製品の外側に当たる部分では、外部に結露水が発生してしまうという課題を有していた。
【００１６】
また、樹脂製ベース２５が一体化しているので、凝縮器やコンプレッサー２８などの熱が樹脂を伝わり、下側断熱部４６を通過して冷却部分に入り込むので、冷却性能が下がるという課題を有していた。
【００１７】
本発明は、前記従来の課題を解決するもので、外郭部分に結露が発生しにくく、冷却性能を向上した農産物保冷庫用冷蔵ユニットを提供することを目的とする。
【課題を解決するための手段】
【００１８】
前記従来の課題を解決するために、本発明の農産物保冷庫用冷蔵ユニットは、前面に扉を有した断熱性の高い保冷庫本体と前記保冷庫本体の天井面に設置した農産物保冷庫用冷蔵ユニットとを備えた農産物保冷庫にあって、前記農産物保冷庫用冷蔵ユニットは、冷却器を断熱し上下に分離する上側断熱部と、下側断熱部と、外郭となる外装パネルと、樹脂製ベースと、を備えたものであって、前記樹脂製ベースは、結露水を溜めて蒸発させることのできる蒸発皿部と、前記冷却器の下側で前記結露水を受ける露受皿と、前記蒸発皿部と前記露受皿とを一体化する水路と、前記下側断熱部の周囲を保持し外郭の一部となる断熱部保持部と、を備え、前記下側断熱部は、下部に前記天井面と密着する面と、前記保冷庫本体に冷気を吸排気する吸排気口と、前記吸排気口の間に前記露受皿と前記水路とを前記下側断熱部の上側に前記水路が密着するように形成された水路保持部と、前記吸排気口と前記水路保持部を除いた上面に前記上側断熱部と密着する勘合部と、を備え、前記下側断熱部は、前記断熱部保持部の上側になるように、前記露受皿と前記断熱部保持部の間に挿入されたものである。
【００１９】
上記構成により、樹脂製ベースの外気に触れる部分と、上側断熱部と下側断熱部とで断熱された冷却空間（冷却器を収納し、保冷庫内の空気を冷却器で冷却するための風路が形成された空間）に面する部分とは、完全に遮断されており熱が伝わりにくくなる。
【００２０】
冷却器を乗せる露受皿部においては、冷却器と冷気により冷却されるが、比較的長い（断熱壁よりも長い）水路によって温度勾配がつくので熱移動は少ないこととなる。
【００２１】
また、上側断熱部と下側断熱部で断熱された冷却空間（冷却器を収納し、保冷庫内の空気を冷却器で冷却するための風路が形成された空間）側には熱伝導による熱の進入が減るので、冷却性能が向上することとなり、省エネルギー性能が高くなる。
【発明の効果】
【００２２】
本発明の農産物保冷庫用冷蔵ユニットは、冷却部分の断熱性能が向上しているので、結露が発生しにくくなる。
【００２３】
また、断熱性能が向上しているので、冷却性能が向上され、省エネルギー性能が高くなる。
【図面の簡単な説明】
【００２４】
【図１】本発明の実施の形態１における農産物保冷庫用冷蔵ユニットの平面図
【図２】同実施の形態の農産物保冷庫用冷蔵ユニットの断面側面図
【図３】同実施の形態の農産物保冷庫用冷蔵ユニットのベースおよび下側断熱部の取付け図
【図４】従来の農産物保冷庫用冷蔵ユニットの分解斜視図
【図５】従来の農産物保冷庫の扉を開いた状態の外観斜視図
【図６】従来の農産物保冷庫の扉を閉じた状態の外観斜視図
【図７】図４のＢ−Ｂ断面図
【図８】図４のＣ−Ｃ断面図
【発明を実施するための形態】
【００２５】
第１の発明は、前面に扉を有した断熱性の高い保冷庫本体と前記保冷庫本体の天井面に設置した農産物保冷庫用冷蔵ユニットとを備えた農産物保冷庫にあって、前記農産物保冷庫用冷蔵ユニットは、冷却器を断熱し上下に分離する上側断熱部と、下側断熱部と、外郭となる外装パネルと、樹脂製ベースと、を備えたものであって、前記樹脂製ベースは、結露水を溜めて蒸発させることのできる蒸発皿部と、前記冷却器の下側で前記結露水を受ける露受皿と、前記蒸発皿部と前記露受皿とを一体化する水路と、前記下側断熱部の周囲を保持し外郭の一部となる断熱部保持部と、を備え、前記下側断熱部は、下部に前記天井面と密着する面と、前記保冷庫本体に冷気を吸排気する吸排気口と、前記吸排気口の間に前記露受皿と前記水路とを前記下側断熱部の上側に前記水路が密着するように形成された水路保持部と、前記吸排気口と前記水路保持部を除いた上面に前記上側断熱部と密着する勘合部と、を備え、前記下側断熱部は、前記断熱部保持部の上側になるように、前記露受皿と前記断熱部保持部の間に挿入されたものである。
【００２６】
これにより、樹脂製ベースの外気に触れる部分と、上側断熱部と下側断熱部とで断熱された冷却空間（冷却器を収納し、保冷庫内の空気を冷却器で冷却するための風路が形成された空間）に面する部分とは、完全に遮断されており熱が伝わりにくくなる。
【００２７】
また、冷却器を乗せる露受皿部においては、冷却器と冷気により冷却されるが、比較的長い（断熱壁よりも長い）水路によって温度勾配がつくので熱移動は少ないこととなる。
【００２８】
その結果、冷却部分の断熱性能が向上しているので、冷蔵ユニットの外郭部分に結露が発生しにくくなる。
【００２９】
また、上側断熱部と下側断熱部で断熱された冷却空間（冷却器を収納し、保冷庫内の空気を冷却器で冷却するための風路が形成された空間）側には熱伝導による熱の進入が減るので、冷却性能が向上することとなり、省エネルギー性能が高くなる。
【００３０】
以下、本発明の農産物保冷庫用冷蔵ユニットの実施の形態について、図面を参照しながら説明する。なお、この実施の形態によって本発明が限定されるものではない。
【００３１】
（実施の形態１）
図１は、本発明の実施の形態１における農産物保冷庫用冷蔵ユニットの平面図を示すものである。
【００３２】
図２は、本発明の実施の形態１における農産物保冷庫用冷蔵ユニットの断面側面図を示すものである。
【００３３】
図３は、本発明の実施の形態１における農産物保冷庫用冷蔵ユニットの樹脂製ベースおよび下側断熱部の取付け図を示すものである。
【００３４】
図１は、部品の構成がわかるように外装パネルと上側断熱部とをはずした図を示す。
【００３５】
図１、図２に示すように、前面に扉を有した断熱性の高い保冷庫本体（図示せず）と保冷庫本体の天井面６に設置した農産物保冷庫用冷蔵ユニット２０１とを備えた農産物保冷庫にあって、農産物保冷庫用冷蔵ユニット２０１は、冷却器５を断熱し上下に分離する上側断熱部２と、下側断熱部４と、外郭となる外装パネル１と、樹脂製ベース３と、を備えたものであって、樹脂製ベース３は、結露水を溜めて蒸発させることのできる蒸発皿部９と、冷却器５の下側で結露水を受ける露受皿８と、蒸発皿部９と露受皿８とを一体化する水路１０と、下側断熱部４の周囲を保持し外郭の一部となる断熱部保持部７と、を備え、下側断熱部４は、下部に天井面６と密着する面１０１と、保冷庫本体に冷気を吸排気する吸排気口１１と、吸排気口１１の間に露受皿８と水路１０とを下側断熱部４の上側に水路１０が密着するように形成された水路保持部１０２と、吸排気口１１と水路保持部１０２を除いた上面に上側断熱部２と密着する勘合部１２と、を備え、下側断熱部４は、断熱部保持部７の上側になるように、露受皿８と断熱部保持部７の間に挿入されたものである。
【００３６】
なお、樹脂製ベース３における下側断熱部４を保持する部分は、下側断熱部４が上に乗る形状になっている。
【００３７】
さらに、冷却器５の下側でかつ下側断熱部４の上側で冷却器５の結露水を受ける露受皿８と、上側断熱部２及び下側断熱部４の外側に設けられ露受皿８で受けた結露水を溜めて蒸発させるための蒸発皿部９は、比較的長く設定された水路１０によって樹脂製ベース３と一体に樹脂成形される。
【００３８】
露受皿８は、水路１０以外で樹脂製ベース３に接合される箇所はなく、露受皿８で受けた結露水は、水路１０を通り蒸発皿部９に排水できるように高低差を設けて形成している。
【００３９】
また、下側断熱部４は、冷却器５の冷気を保冷庫内に吸排気する吸排気口１１とその間に冷却器５を乗せる露受皿８を設置する部分と水路１０を乗せる部分と各部位が密着するように成型されている。
【００４０】
これらの吸排気口１１と露受皿８と水路１０を囲むように、上側断熱部２と密着する勘合部１２を形成している。
【００４１】
上側断熱部２は、下側断熱部４と直接密着する勘合部１２を持ち、冷却器５と吸排気口１１につながる風路を形成し、下側断熱部４と密着時に下側断熱部４と上側断熱部２の高さは、外装パネル設置高さと同じになるよう構成される。
【００４２】
また、下側断熱部４は、上に露受皿８と水路１０をもち、下に樹脂製ベース３の断熱部保持部７になるように構成している。
【００４３】
したがって、図３に示すように、下側断熱部４は、樹脂製ベース３の側方から露受皿８と断熱部保持部７の間にスライドして挿入できる構造としている。
【００４４】
これにより、樹脂製ベースの露受皿を分割する必要がなくなり、部品の一体化による金型コストの低減と部品点数低下による作業工数の削減ができる。
【００４５】
樹脂製ベース３は、比較的柔らかく形状が変形した後の再現性が高い樹脂を使用しているので、露受皿８と比較的長い水路１０を少し曲げることで、露受皿８を持ち上げることができ、また、露受皿８は結露水を蒸発皿部９まで流し落とすために、比較的高い位置に設定しているので、容易に下側断熱部４を樹脂製ベース３の側方から挿入することができる。
【００４６】
その結果、下側断熱部４は、樹脂製ベース３の上にあり露受皿８の下に位置するように構成される。
【００４７】
なお、本実施の形態では、樹脂製ベース３は、ポリプロピレン樹脂を用いている。
【００４８】
また、本実施の形態では、上側断熱部２と下側断熱部４は、発泡スチロールを用いている。
【００４９】
以上のように構成された本実施の形態の農産物保冷庫用冷蔵ユニットについて、その動作、作用を説明する。
【００５０】
まず、保冷庫の天井面６の吸排気口１１に合わせて下側断熱部４が密着勘合される。
【００５１】
密着勘合する部分は、完全に気密を保つために、例えば発砲フォームなどを用いるか、断熱部の材料の弾力を用いて圧力を加えて密着させる。
【００５２】
下側断熱部４は、樹脂製ベース３の断熱部保持部７の上に乗っているので、樹脂製ベース３からは押し付ける力を直接得られないので、密着の圧力を得るために上側断熱部２から圧力が加えられる。
【００５３】
上側断熱部２は、圧力を保持するために外装パネル１に囲われており、外装パネル１は樹脂製ベース３に取り付けられ、樹脂製ベース３または外装パネル１を保冷庫の天井面６に固定することで、天井面６と下側断熱部４とは、密着する圧力を保持する。
【００５４】
すなわち、保冷庫の天井面６への密着圧力で勘合部１２にも圧力も加わることになり、勘合部１２は同じ発砲部材でできているので、より密着性が高く、断熱性が高くなる。
【００５５】
さらに、露受皿８と水路１０と蒸発皿部９は、樹脂製ベース３に一体化されているので、結露水が流れる際に接合部で水漏れが発生するなどの心配がない。
【００５６】
以上のように、本実施の形態においては、前面に扉を有した断熱性の高い保冷庫本体（図示せず）と保冷庫本体の天井面６に設置した農産物保冷庫用冷蔵ユニット２０１とを備えた農産物保冷庫にあって、農産物保冷庫用冷蔵ユニット２０１は、冷却器５を断熱し上下に分離する上側断熱部２と、下側断熱部４と、外郭となる外装パネル１と、樹脂製ベース３と、を備えたものであって、樹脂製ベース３は、結露水を溜めて蒸発させることのできる蒸発皿部９と、冷却器５の下側で結露水を受ける露受皿８と、蒸発皿部９と露受皿８とを一体化する水路１０と、下側断熱部４の周囲を保持し外郭の一部となる断熱部保持部７と、を備え、下側断熱部４は、下部に天井面６と密着する面１０１と、保冷庫本体に冷気を吸排気する吸排気口１１と、吸排気口１１の間に露受皿８と水路１０とを下側断熱部４の上側に水路１０が密着するように形成された水路保持部１０２と、吸排気口１１と水路保持部１０２を除いた上面に上側断熱部２と密着する勘合部１２と、を備え、下側断熱部４は、断熱部保持部７の上側になるように、露受皿８と断熱部保持部７の間に挿入されたものである。
【００５７】
これにより、保冷庫の天井面６の吸排気口１１に合わせて下側断熱部４を完全に気密を保つために発砲フォームなどを用いるか、断熱部の材料の弾力を用いて、圧力を加えて密着させる。
【００５８】
下側断熱部４は、上側断熱部２から圧力が加えられる。
【００５９】
上側断熱部２は、圧力を保持するために外装パネル１に囲われており、外装パネル１は、樹脂製ベース３に取り付けられ、樹脂製ベース３または外装パネル１を保冷庫の天井面６に固定することで、密着する圧力を保持する。
【００６０】
すなわち、保冷庫の天井面６への密着圧力で、勘合部１２にも圧力も加わることになり、勘合部１２は同じ発砲部材でできているので、より密着性が高く、断熱性が高くなり、冷却ユニットの冷却性能を向上できる。
【００６１】
また、断熱部は樹脂製ベース３の上に乗っているので、冷却ユニット設置時やメンテナンス時に、冷却ユニット単体で移動しても、樹脂製ベース３から下に断熱部が落ちないような構造や構成を考慮する必要がない。すなわち、落下防止用の部材などを追加する必要がない。
【００６２】
また、樹脂製ベース３は、冷却側となる断熱部の内部にある露受皿８が比較的長い水路１０でのみ繋がっているので、冷却器５で冷やされる露受皿８からの伝熱による熱の出入りは水路１０のみに制限され、水路１０自体は樹脂で形成している。これにより、比較的熱伝導性が悪く冷却部と断熱部外側までの距離も長いので、熱の伝導性が下がるので、冷却部と外部との熱伝導性は低く抑えられ、外部の結露水発生などが起きにくくなり、さらに断熱性向上により冷却ユニットの冷却性能を向上できる。
【００６３】
また、樹脂製ベースは、上側断熱部と下側断熱部とで断熱された冷却空間（冷却器を収納し、保冷庫内の空気を冷却器で冷却するための風路が形成された空間）に露出しないような形状にしたことにより、樹脂製ベースの外気に触れる部分と、上側断熱部と下側断熱部とで断熱された冷却空間（冷却器を収納し、保冷庫内の空気を冷却器で冷却するための風路が形成された空間）に面する部分とは、熱が伝わりにくくなる。
【００６４】
さらに、露受皿８と水路１０と蒸発皿部９は、樹脂製ベース３に一体化されているので、結露水が流れる際に接合部で水漏れが発生するなどの心配がない。
【００６５】
また、樹脂製ベース３にすべての部品が一体化されているので、樹脂金型が１つで可能となり、農産物保冷庫用冷蔵ユニットは、金型投資が少なく、部品点数の削減や軽量化などの合理化が可能となる。
【００６６】
なお、本実施の形態では、樹脂製ベース３は、ポリプロピレン樹脂を用いているが、例えば、ポリスチレンやＡＢＳなどの樹脂を用いてもよい。
【産業上の利用可能性】
【００６７】
本発明にかかる農産物保冷庫用冷蔵ユニットは、結露の発生を低減でき、冷却性能を上げることが可能となるので、農産物の保冷用に限らず、業務用冷蔵庫など、保冷庫本体の天面に冷蔵ユニットを設ける構造の冷蔵ユニットに適用できる。
【符号の説明】
【００６８】
１  外装パネル
２  上側断熱部
３  樹脂製ベース
４  下側断熱部
５  冷却器
６  天井面
７  断熱部保持部
８  露受皿
９  蒸発皿部
１０  水路
１１  吸排気口
１２  勘合部
１０１  面
１０２  水路保持部
２０１  農産物保冷庫用冷蔵ユニット
【図１】
2014095493.tif 000003
【図２】
2014095493.tif 000004
【図３】
2014095493.tif 000005
【図４】
2014095493.tif 000006
【図５】
2014095493.tif 000007
【図６】
2014095493.tif 000008
【図７】
2014095493.tif 000009
【図８】
2014095493.tif 000010